(57)【要約】【課題】乾留ガスの火炎による過剰加熱を防止するようにした多段スクリュー炭化装置を提供すること。【解決手段】トラフ２１内の被炭化物Ｔを、回転するスクリュー２２によって搬送するスクリューコンベア１１〜１７を備え、そのスクリューコンベア１１〜１７が高さ方向に複数並べられて一つの搬送路を形成すべく接続され、トラフ２１のガス吹出口３５から吹き出す乾留ガスの火炎により、上段のスクリューコンベア１１などを加熱するようにした炭化炉１を有するものであって、炭化炉１には、スクリューコンベア１１などに向けて冷却ガスを吹き付けるための冷風ノズル４１が設けられ、その冷風ノズル４１に対し、バルブ４３の開閉によって冷却ガスを供給する冷却ガス供給手段を有する多段スクリュー炭化装置。【選択図】        図４
2009138089.tif 000002
【特許請求の範囲】
【請求項１】
トラフ内の被炭化物を、回転するスクリューによって搬送するスクリューコンベアを備え、そのスクリューコンベアが高さ方向に複数並べられて一つの搬送路を形成すべく接続され、トラフのガス吹出口から吹き出す乾留ガスの火炎により、上段のスクリューコンベアを加熱するようにした炭化炉を有する多段スクリュー炭化装置において、
前記炭化炉には、前記スクリューコンベアに向けて冷却ガスを吹き付けるための冷風ノズルが設けられ、その冷風ノズルに対し、バルブの開閉によって冷却ガスを供給する冷却ガス供給手段を有するものであることを特徴とする多段スクリュー炭化装置。
【請求項２】
請求項１に記載の多段スクリュー炭化装置において、
前記冷却ガス供給手段は、前記炭化炉に接続された所定機器であって、前記冷却ガスは、当該所定機器によって生じた排ガスであることを特徴とする多段スクリュー炭化装置。
【請求項３】
請求項２に記載の多段スクリュー炭化装置において、
前記所定機器は、前記炭化炉に前記被炭化物を乾燥させて供給する乾燥機であって、前記冷却ガスは、その乾燥機によって発生した排ガスであることを特徴とする多段スクリュー炭化装置。
【請求項４】
請求項２に記載の多段スクリュー炭化装置において、
前記所定機器は、前記炭化炉の排ガス処理に設けられた白煙防止器であって、前記冷却ガスは、その白煙防止器を通して得られた排ガスであることを特徴とする多段スクリュー炭化装置。
【請求項５】
請求項１乃至請求項４のいずれかに記載の多段スクリュー炭化装置において、
前記スクリューコンベア或いはその周辺の温度を検出する温度センサと、その温度センサの検出信号に基づいて前記バルブの開閉を制御するコントローラを有するものであることを特徴とする多段スクリュー炭化装置。
【発明の詳細な説明】
【技術分野】
【０００１】
本発明は、下段のスクリューコンベアから吹き出す火炎によって、その上段側のスクリューコンベア内を移動する被炭化物を加熱・熱分解（炭化）せしめる多段スクリュー炭化装置に関し、特に火炎による過剰な加熱を冷排ガスの供給によって防止するようにした多段スクリュー炭化装置に関する。
【背景技術】
【０００２】
多段スクリュー炭化装置は、例えば下記特許文献１に記載されており、図７は、同文献に開示された同装置の多段スクリュー炭化炉を示した図である。
多段スクリュー炭化炉は、炉体１０２内を横切るように、ほぼ水平に配置されたスクリューコンベア１１１，１１２，１１３が縦に３段設けられている。スクリューコンベア１１１などは、いずれも複数のガス吹出口１３５が形成された筒状のトラフ内に、スクリュー１２２が回転可能に挿入されている。ガス吹出口１３５は、被炭化物から発生する乾留ガスを吹き出させるようにしたものである。
【０００３】
被炭化物は、ホッパー１０４から最上段のスクリューコンベア１１１に供給され、スクリュー１２２の回転によって搬送される。被炭化物の搬送は、接続シュートを介して下段のスクリューコンベア１１２及び１１３へと順に移動する。その間に被炭化物が加熱されて炭化物が生成される。すなわち、炉体１０２内は加熱バーナー１０８によって下側から加熱されるるとともに、スクリューコンベア１１１〜１１３からはガス吹出口１３５を通して乾留ガスが吹き出し、それが火炎となってスクリューコンベア１１１〜１１２３内を通る被炭化物を加熱する。
【特許文献１】特開２００１−１７２６３９号公報
【発明の開示】
【発明が解決しようとする課題】
【０００４】
ところで、ガス吹出口１３５から吹き出る乾留ガスが勢いを増して火力が強くなると、上段のスクリューコンベア１１１や１１２が過剰な加熱によって、また、被炭化物が鶏糞等の畜糞である場合には、発生する乾留ガスに塩素や硫黄等の腐食性ガスが含まれているため、トラフが腐食してしまって寿命を短くしてしまう。この点、前記従来例の多段スクリュー炭化装置では、噴霧ノズルを使用し、水蒸気や水を炉体１０２内に吹き込んで冷やすよう構成されている。しかし、水蒸気などで炉体１０２内を冷やしたのでは、乾留ガスが勢いを増した所定の加熱箇所だけでなく、適切な加熱箇所を含む全体を冷やしてしまい、処理能力を低下させてしまう。
【０００５】
そこで、本発明は、かかる課題を解決すべく、乾留ガスの火炎による過剰加熱を防止するようにした多段スクリュー炭化装置を提供することを目的とする。
【課題を解決するための手段】
【０００６】
本発明に係る多段スクリュー炭化装置は、トラフ内の被炭化物を、回転するスクリューによって搬送するスクリューコンベアを備え、そのスクリューコンベアが高さ方向に複数並べられて一つの搬送路を形成すべく接続され、トラフのガス吹出口から吹き出す乾留ガスの火炎により、上段のスクリューコンベアを加熱するようにした炭化炉を有するものであって、前記炭化炉には、前記スクリューコンベアに向けて冷却ガスを吹き付けるための冷風ノズルが設けられ、その冷風ノズルに対し、バルブの開閉によって冷却ガスを供給する冷却ガス供給手段を有するものであることを特徴とする。
【０００７】
また、本発明に係る多段スクリュー炭化装置は、前記冷却ガス供給手段が、前記炭化炉に接続された所定機器であって、前記冷却ガスが、当該所定機器によって生じた排ガスであることが好ましい。
また、本発明に係る多段スクリュー炭化装置は、前記所定機器が、前記炭化炉に前記被炭化物を乾燥させて供給する乾燥機であって、前記冷却ガスが、その乾燥機によって発生した排ガスであることが好ましい。
また、本発明に係る多段スクリュー炭化装置は、前記所定機器が、前記炭化炉の排ガス処理に設けられた白煙防止器であって、前記冷却ガスが、その白煙防止器を通して得られた排ガスであることが好ましい。
また、本発明に係る多段スクリュー炭化装置は、前記スクリューコンベア或いはその周辺の温度を検出する温度センサと、その温度センサの検出信号に基づいて前記バルブの開閉を制御するコントローラを有するものであることが好ましい。
【発明の効果】
【０００８】
よって、本発明の多段スクリュー炭化装置によれば、冷却ガス供給手段からの冷却ガスを冷風ノズルを介してスクリューコンベアへ吹き付けるようにしたので、勢いが強くなった火炎に対するトラフの過剰加熱部分を冷却することができる。しかも、トラフに向けて吹き付けられる冷却ガスは、立ちのぼる火炎の先端を風力によって散らすように作用し、この点でも火炎による過剰な加熱を回避することができる。また、本発明によれば、乾燥機から得られる排ガスなどを冷却ガスとして利用するので、新たに冷却ガス供給手段を設けることなく、低コストで前記効果の達成を可能にしている。
【発明を実施するための最良の形態】
【０００９】
次に、本発明に係る多段スクリュー炭化装置の一実施形態について図面を参照しながら以下に説明する。図１乃至図３は、多段スクリュー炭化装置を構成する多段スクリュー炭化炉を示した図である。特に、図１は、多段スクリュー炭化炉をその側部側から示した断面図であり、図２は図１のＡ−Ａ矢視断面図であり、図３は図１のＢ−Ｂ矢視断面図である。本実施形態の多段スクリュー炭化炉１は、ホッパ４に投入した被炭化物を、角筒状の炉体２内で加熱した７つのスクリューコンベア１１〜１７内を通して加熱・熱分解して炭化物を生成するものである。
【００１０】
スクリューコンベア１１〜１７は、図１に示すように、縦方向に複数段（本実施形態では上下７段）にわたって設けられ、更に図２及び図３に示すように左右２列に配置されている。縦方向に並べられたスクリューコンベア１１〜１７は、図３に示すように千鳥状に配置され、各々は筒状のトラフ２１が炉体２の向かい合う壁面に架設されている。スクリューコンベア１１〜１７はいずれも同様に構成され、トラフ２１内にスクリュー２２が挿入され、回転するスクリュー２２によって被炭化物を搬送する搬送手段として構成されている。
【００１１】
スクリュー２２は、その回転軸に所定ピッチで螺旋状に形成された螺旋羽を有し、軸受けを介して回転可能に軸支されている。炉体２には、図２に示すように、ギヤードモータである駆動モータ２８が複数固定され、スクリュー２２の回転軸及び駆動モータ２８の出力軸にそれぞれ固定したスプロケットが、チェーンを介して回転を伝達するように構成されている。従って、スクリュー２２の回転速度、すなわちトラフ２１内を移動する被炭化物の搬送速度は、この駆動モータ２８の駆動制御によって調整できるようになっている。
【００１２】
炉体２の上部には、被炭化物を最上段のスクリューコンベア１１へ送り込むためのホッパ４が設けられている。ホッパ４には、スクリューコンベア１１のスクリュー２２と連続した螺旋羽の送込部２５が形成されている。この送込部２５における羽根のピッチや径は、スクリューコンベア１０のスクリュー２２より小さく形成されている。
【００１３】
スクリューコンベア１１〜１７のトラフ２１は、上下に並んだもの同士がシュート部５によって連結され、そのスクリューコンベア１１〜１７内を移動する被炭化物の搬送方向は交互に切り換えられる。そのため、上方のスクリューコンベア１１の送出し終端側と、下方のスクリューコンベア１２の送出し始端側とがシュート部５によって連結され、一つの搬送流路が形成されている。そして、最下段に位置するスクリューコンベア１７には、その送出し終端側のシュート部５に冷却部６が設けられ、そこを通って不図示の回収部に回収される。冷却部６は、炉から出た炭化物が４００〜５００℃と高温であり、外気に触れると燃えてしまうため、水槽内をスクリューコンベアで搬送することによって間接冷却するものである。
【００１４】
また、多段スクリュー炭化炉１には、図３に示すように、スクリューコンベア１１〜１７からなる搬送部に、下方から熱気（熱風）を送る加熱部が構成されている。加熱部は、炉体２の下部に加熱室７が設けられ、そこへ火炎を噴射するバーナー８が取り付けられている。これにより、このバーナー８から噴射した火炎による熱が、加熱室７内から炉体２の炭化室９へと送られて、最下段のスクリューコンベア１７を直に加熱しつつ、他のスクリューコンベア１１〜１６も昇温するようになっている。一方、そうした炉体２の上部には、炭化室９内で燃焼しなかった乾留ガスを燃焼・加熱することにより臭気分を熱分解する再燃焼炉３が設けられている。
【００１５】
多段スクリュー炭化炉１では、スクリューコンベア１１〜１７のスクリュー２２が回転することによって被炭化物が搬送され、加熱されたトラフ２１内を移動する間に被炭化物が炭化する。その際、被炭化物からは可燃性の乾留ガスが発生するため、本実施形態では、その乾留ガスの火炎によって上段に位置するスクリューコンベア１１〜１６を加熱するよう構成されている。ここで図４は、乾留ガスの火炎によって加熱する状態を模式的に示した図であり、多段スクリュー炭化炉１を構成する図３左側のスクリューコンベア１２，１３，１４を抜き出して示したものである。
【００１６】
スクリューコンベア１１〜１７は、トラフ２１がＵ字形の本体に上方開口側を平らな面板で塞ぐように形成され、その上面に突き出したガス吹出口３５がオフセットして突設されている。そして、トラフ２１内で乾留ガスが発生すると、その乾留ガスがガス吹出口３５から上方に向けて吹き出し、それによって生じる火炎で上段のスクリューコンベアが加熱されるようになっている。例えば図４に示す場合であれば、下方のスクリューコンベア１５，１６が、それぞれの直上に位置するスクリューコンベア１４，１５を加熱することとなる。
【００１７】
本実施形態では、千鳥状に配置されたスクリューコンベア１１〜１７に対し、更にガス吹出口３５が上段のスクリューコンベアから遠ざかる方向にずれて形成されている。そのため、図４のスクリューコンベア１５，１６に示す通常の火炎であれば、トラフ２１を直接炙ることがないため、過剰な加熱や腐食性ガスの影響を避けることができる。しかし、スクリューコンベア１６のように乾留ガスがトラフ２１内で多く発生し、吹き出しの勢いが強くなってしまい火炎Ｋが大きくなると、２段上のスクリューコンベア１４を炙ってしまうことになる。
【００１８】
スクリューコンベア１６の位置では、水分の抜けた被炭化物から乾留ガスがより発生しやすくなっているため、トラフ２１のガス吹出口３５から勢いよく吹き出して火炎を大きくしてしまう。しかも、２段上のスクリューコンベア１４では、その中の被炭化物Ｔが、本来加熱を行うスクリューコンベア１５側にスクリュー２２の回転によって片寄っている。従って、スクリューコンベア１６からの火炎Ｋによって炙られる部分は被炭化物による熱の吸収が行われ難くなり、加熱の影響をより多く受けることになる。そして更に、乾留ガスが硫黄、塩素等の、鋼材等を腐食させる腐食性ガスであることによる影響が加わり、トラフ２１に孔があいてしまう。
【００１９】
そこで、本実施形態の多段スクリュー炭化装置には、図４に示すように吹付け手段が設けられている。炉体２の壁面には、図３に示すように冷風ノズル４１が貫通して固定され、炉体２内に突き出す延長ノズル４１ａを継ぎ足すことができるようになっている。延長ノズル４１ａは、その形状や長さによって冷風の方向や吹き付け位置を調節できるようにしたものである。そして、冷風ノズル４１には、炉体２の外で冷排ガス管４２と接続されている。冷排ガス管４２は、バルブ４３が設けられ、冷排ガスの供給が炉体２内の温度に従って自動調整できるように構成されている。
【００２０】
すなわち本実施形態では、図３に示すように、下からの火炎によって影響を受けるスクリューコンベア１１〜１５に対し、その下部温度を検出する温度センサ４５が設置されている。そして温度センサ４５には、その検出信号に基づいてバルブ４３の開閉を制御するコントローラ４６が接続され、スクリューコンベア１１〜１５の下部温度に応じて冷風ノズル４１（延長ノズル４１ａを含む。以下同じ）から吹き出す冷排ガスの吹き出し調整が行われるようになっている。本実施形態では、冷排ガスの吹き付けによってスクリューコンベア１１〜１５のトラフ２１を冷却するとともに、その吹き付けた冷排ガスが火炎を散らしてトラフ２１の過剰な加熱を防止するようにしている。
【００２１】
加熱防止に使用する冷排ガスには、被炭化物を乾燥させる乾燥機からの排ガスが利用される。図５は、多段スクリュー炭化装置の構成を排ガス処理の流れに従って示したブロック図である。被炭化物は、畜糞などであって水分を多く含んでいるので、多段スクリュー炭化炉１に送り込む前に水分除去を行うための乾燥機５１が設けられている。従って、被炭化物は、この乾燥機５１に供給され、水分除去が行われた後に多段スクリュー炭化炉１のホッパ４へと送り込まれるようになっている。
【００２２】
一方、多段スクリュー炭化炉１では、スクリューコンベア１１〜１７を加熱した高温ガスを浄化処理する再燃焼炉３が設けられている。再燃焼炉３で処理された排ガスの温度は約８００℃ほどの高温であるため、排気するには温度を下げる必要があり、その再燃焼炉３には、段階的に排ガスを冷却するように第１熱交換器５２及び第２熱交換器５３が順に接続されている。そして、第２熱交換器５３の二次側には排ガス中の煤などを取り除くバグフィルタ５４が接続され、煙突５５から浄化されたガスが放出されるようになっている。
【００２３】
ところで、乾燥機５１で発生した排ガスは、一部がその乾燥機５１と第１熱交換器５２との間で循環ガスとして循環し、他の一部（量的には乾燥機５１で新たに発生した排ガスと同量）が再燃焼炉３へと送られて排気される。乾燥機５１内では、被炭化物原料中の水分が蒸発し、その蒸気を含んで約１４０℃にまで下がった排ガスが送り出される。循環ガスは、乾燥機５１で冷却され（熱エネルギを奪われ）、排ガスとして第１熱交換器５２へ送られるが、第１熱交換器５２で炭化排ガスから熱エネルギを受け取って約４５０℃になり、再び乾燥機５１へと送り込まれる。
【００２４】
一方、乾燥機５１から送り出された排ガスの一部は、乾燥機５１の圧力で制御されるバルブ５８を通って再燃焼炉３へ投入される。乾燥機５１からの排ガスは、被炭化物が蓄糞などであるため、臭気を含んでいるのでそのまま大気に放出することができない。そこで、臭気を含んだ排ガスを再燃焼炉３に送り込み、その臭気を熱分解させるようにしている。従って、乾燥機５１からの排ガスは、一部が第１熱交換器５２から熱を受け取るための媒体として循環し、他は経路からの漏れ込み空気とともに再燃焼炉３に送り込まれるようになっている。
【００２５】
更に、本実施形態では、水分を含んだ乾燥機５１からの排ガスを、トラフ２１を冷却するための冷排ガスとして利用している。そのため、乾燥機５１から再燃焼炉３への配管が分岐して冷排ガス管４２が形成され、それが多段スクリュー炭化炉１へと接続されている。すなわち、乾燥機５１から排出された約１８０℃の排ガスが、図４に示す冷風ノズル４１によって、トラフ２１を冷却する冷排ガスとして炉体２内に吹き込まれるよう構成されている。乾燥機５１からの排ガスは臭気を含むため熱処理しなければならないが、こうして排ガスを冷排ガスとして炉体２内に送り込むことにより、トラフ２１を冷却すると同時に、それ自身の臭気の熱分解も行うようにしている。
【００２６】
そこで、本実施形態の多段スクリュー炭化装置では、先ず乾燥機５１に入れられた被炭化物は水分がある程度除去され、多段スクリュー炭化炉１へと供給される。多段スクリュー炭化炉１では、被炭化物が７つのスクリューコンベア１１〜１７を順番に降りるように搬送され、その搬送過程の加熱によって炭化物が生成される。一方、被炭化物が加熱されて炭化する際には乾留ガスを発生させるため、その乾留ガスがトラフ２１内からガス吹出口３５を通して吹き出し、炉体２内の加熱温度によって燃焼して火炎となる。そして、この火炎が直上のスクリューコンベア１１などを加熱し、トラフ２１内の被炭化物を炭化させることに寄与している。
【００２７】
しかし、乾留ガスの勢いが増して図４に示す火炎Ｋのように大きくなると、スクリューコンベア１４のトラフ２１の加熱温度が異常に高くなってしまう。この点、本実施形態では、温度センサ４５によってトラフ２１の下部温度が検出され、その検出信号に基づいてコントローラ４６による温度管理が行われるている。そのため、温度センサ４５からの温度が設定値を超えると、バルブ４３の開閉が制御され、冷排ガスが冷排ガス管４２を通って冷風ノズル４１から高温になったスクリューコンベア１４のトラフ２１へと吹き付けられる。
【００２８】
この冷排ガスは、図５に示す乾燥機５１から得られる排ガスの一部であり、加熱されたトラフ２１の温度に比べて大幅に低く、しかも水分が多く相対的に酸素が少ないので、乾留ガスの燃焼を押さえるとともに冷却させることができる。そのため、排ガスが吹き付けることにより、トラフ２１は火炎による加熱の異常な温度上昇を防止することができる。そして、トラフ２１に向けて吹き付けられる冷排ガスは、立ちのぼる火炎Ｋの先端を風力によって散らすように作用するため、火炎Ｋによる過剰な加熱を回避させることにもなる。従って、乾留ガスの火炎によるトラフ２１の過剰加熱を防止することで、スクリューコンベア１１〜１７の損傷を防止でき、その寿命を格段に延ばすことで、メンテナンスにかかる費用を低減させることが可能になった。
【００２９】
また、本実施形態では、冷排ガスとして乾燥機５１からの排ガスを利用することにより、コストを抑えて上記効果を達成することが可能となった。すなわち、排ガスは、従来から第１熱交換器５２との間の循環や再燃焼炉３へ送り込むための配管が構成されており、本実施形態では、それを更に冷風ノズル４１への冷排ガス管４２を分岐させるようにしただけなので、極めて簡単な構成の変更で冷排ガスの確保が可能になった。乾燥機５１からの排ガスは、水分が多く相対的に酸素が少ないので、トラフ２１を酸化させないというメリットがある。
また、蓄糞の排ガスは臭気を伴うので熱分解（例えば焼却処理）しなければならないが、炉体２内に吹き込んでトラフ２１の冷却に利用するようにしたので、冷却に新たなガスを導入することに比べ、格段に効率がよい。
【００３０】
ところで、炉体２内に吹き込まれる冷排ガスは、乾燥機５１からの排ガス以外にも利用が考えられる。図６は、多段スクリュー炭化装置の構成を排ガス処理の流れに従って示したブロック図である。この多段スクリュー炭化装置では、図５の場合と同様に、再燃焼炉３で処理された高温（約８００℃程）の排ガスを、温度低下と浄化処理を施して大気へ放出するように構成されている。そのため、再燃焼炉３には予熱器６１が接続され、高温の排ガスが外気との熱交換によって約３００℃程度にまで冷却され、約４００℃にまで昇温した外気は燃焼用空気としてバーナー８へ供給されるようになっている。
【００３１】
また、予熱器６１の二次側には白煙防止器６２、バグフィルタ６３及び煙突６４が順に接続されている。白煙防止器６２は、排ガスを大気中に放出する際、白煙を防止するための高温空気を混合させるためのものであり、取り入れた外気を排ガスとの熱交換によって温度上昇させてバグフィルタ６３の二次側に供給するようにしたものである。従って、白煙防止器６２を通った排ガスは約１８０℃程度にまで温度低下している。そして、その排ガスは、バグフィルタ６３によって微粉が除去された後、高温空気の混合によって白煙防止処理が行われて煙突から放出される。
【００３２】
こうした排気処理では、白煙防止器６２を通過した排ガスの温度が最も低くなっている。そこで、図６に示す構成の多段スクリュー炭化装置では、この白煙防止器６２を通過した排ガスを冷排ガスとして利用することとし、白煙防止器６２の二次側配管が分岐して、図４に示す冷排ガス管４２に接続するよう構成されている。
【００３３】
そこで、本実施形態の多段スクリュー炭化装置では、前述したように被炭化物がスクリューコンベア１１〜１７を移動する過程で加熱されて炭化する。その際、乾留ガスがトラフ２１内からガス吹出口３５を通して吹き出し、炉体２内の加熱温度によって燃焼して火炎となる。そして、乾留ガスの勢いが増して、図４に示す火炎Ｋのように大きくなった場合には、トラフ２１の加熱温度が異常に高くなってしまうため、冷排ガスが炉体２内の当該トラフ２１に向けて吹き付けられる。
【００３４】
すなわち、温度センサ４５からの温度が設定値を超えると、バルブ４３の開閉が制御され、冷排ガスが冷排ガス管４２を通って冷風ノズル４１から高温になったスクリューコンベア１４のトラフ２１へと吹き付けられる。この冷排ガスは、図６に示す白煙防止器６２から得られる排ガスの一部であるが、加熱されたトラフ２１の温度に比べて大幅に低いため、これが吹き付けることにより、トラフ２１は火炎による加熱の異常な温度上昇を防止することができる。しかも、トラフ２１に向けて吹き付けられる冷排ガスは、立ちのぼる火炎Ｋの先端を風力によって散らすように作用するため、火炎Ｋによる過剰加熱を回避させることにもなる。
【００３５】
従って、乾留ガスの火炎によるトラフ２１の異常加熱を防止することで、スクリューコンベア１１〜１７の損傷を防止でき、その寿命を格段に延ばすことで、メンテナンスにかかる費用を低減させることが可能になった。
また、本実施形態では、冷排ガスとして白煙防止器６２からの排ガスを利用することにより、コストを抑えて上記効果を達成することが可能となった。すなわち、白煙防止器６２からバグフィルタ６３への配管を分岐して冷排ガス管４２を分岐させるようにしただけなので、極めて簡単な構成の変更で冷排ガスの確保が可能になった。
【００３６】
以上、本発明の多段スクリュー炭化装置について実施形態を説明したが、本発明はこれに限定されるものではなく、その要旨を逸脱しない範囲で様々な変更が可能である。
前記実施形態では、コントローラ４６を用いてバルブ４３の開閉を温度センサ４５の検出に基づいて自動開閉するようにしたが、作業員が温度センサ４５の温度表示に従って手動でバルブ４３の開閉を行うようにしたものであってもよい。
【図面の簡単な説明】
【００３７】
【図１】多段スクリュー炭化炉の一実施形態を示した側部側からの断面図である。
【図２】多段スクリュー炭化炉を示した図１のＡ−Ａ矢視断面図である。
【図３】多段スクリュー炭化炉を示した図１のＢ−Ｂ矢視断面図である。
【図４】乾留ガスの火炎によって上段のスクリューコンベアを加熱する状態を模式的に示した図である。
【図５】多段スクリュー炭化装置の構成を排ガス処理の流れに従って示したブロック図である。
【図６】多段スクリュー炭化装置の構成を排ガス処理の流れに従って示したブロック図である。
【図７】従来の多段スクリュー炭化炉を示した図である。
【符号の説明】
【００３８】
１    多段スクリュー炭化炉
２    炉体
３    再燃焼炉
１１〜１７  スクリューコンベア
２１  トラフ
２２  スクリュー
３５  ガス吹出口
４１  冷風ノズル
４２  冷排ガス管
４３  バルブ
４５  温度センサ
４６  コントローラ
Ｋ    火炎
Ｔ    被炭化物
【図１】
2009138089.tif 000003
【図２】
2009138089.tif 000004
【図３】
2009138089.tif 000005
【図４】
2009138089.tif 000006
【図５】
2009138089.tif 000007
【図６】
2009138089.tif 000008
【図７】
2009138089.tif 000009